(57)【特許請求の範囲】
【請求項１】
合成樹脂製のベースマットの上にタイルが接着剤で接着された置敷タイルマットであって、上記タイルの接着部分の裏面には凹部が形成されており、上記ベースマットの接着部分には切欠部が形成されると共に、その内側面に上部が鍔状に突出した段部が形成されており、上記切欠部の両側には上方へ突き出す小突起が形成されており、上記接着剤がベースマットの裏側から切欠部の段部を覆うように切欠部とタイル裏面の凹部に充填されて硬化していることを特徴とする置敷タイルマット。
【請求項２】
合成樹脂製のベースマットの上にタイルが接着剤で接着された置敷タイルマットであって、上記タイルの接着部分の裏面には凸部が形成されており、上記ベースマットの接着部分には凸部を収容する収容部と切欠部が連なって形成されると共に、切欠部の内側面に上部が鍔状に突出した段部が形成されており、上記接着剤がベースマットの裏側から切欠部の段部とタイル裏面と凸部の側面を覆うように切欠部に充填されて硬化していることを特徴とする置敷タイルマット。
【請求項３】
ベースマットが、タイルを一枚づつ接着する方形支持体を連結部を介して縦横に複数連結したものであって、それぞれの方形支持体には切欠部が形成され、その内側面に上部が鍔状に突出した段部が形成されていることを特徴とする請求項１に記載の置敷タイルマット。
【請求項４】
ベースマットが、タイルを一枚づつ接着する方形支持体を連結部を介して縦横に複数連結したものであって、それぞれの方形支持体には収容部と切欠部が連なって形成され、切欠部の内側面に上部が鍔状に突出した段部が形成されていることを特徴とする請求項２に記載の置敷タイルマット。
【請求項５】
ベースマットの隣接する二辺に接続用の被係合部が形成され、この被係合部に係合しうる接続用の係合部が他の隣接する二辺に形成されていることを特徴とする請求項１ないし請求項４のいずれかに記載の置敷タイルマット。
【発明の詳細な説明】
【０００１】
【発明の属する技術分野】
本発明は、床の下地面に並べて置敷きするだけで美麗なタイルフロアを簡単に施工することができる置敷タイルマットに関する。
【０００２】
【従来の技術】
従来、ベランダやバルコニーをタイルフロアにして美観を高める場合には、下地の上にタイルを並べてモルタルや接着剤で一枚ずつ固着していた。そのため、熟練を要し、施工に時間がかかるという問題があった。
【０００３】
そこで、合成樹脂製のベースマットの上に複数枚のタイルをエポキシ系樹脂接着剤で接着したタイルマットが最近になって開発された。このタイルマットは、床の下地面に並べて置敷きするだけでタイルフロアを簡単に施工できる便利なマットであるが、次のような解決すべき問題があった。
【０００４】
【発明が解決しようとする課題】
即ち、上記のタイルマットは、ＥＶＡ（エチレン−酢酸ビニル共重合体）等の柔軟性を有する合成樹脂でベースマットを作製しているが、タイルに対して大きい接着力を有するエポキシ系樹脂接着剤は、ＥＶＡ等で作製されたベースマットに対する接着力が弱いため、歩行者の荷重が繰り返しタイルにかかると、短期間でタイルが剥離するという問題があった。
【０００５】
特に、上記のタイルマットは、平坦なタイル裏面をベースマットの上に平面的に接着しているため、歩行に伴って横向きの力がタイルに作用すると、タイルが横方向にベースマットから剪断剥離しやすいという問題があった。
【０００６】
このような問題は、ベースマットとタイルの双方に対して優れた接着性を有する接着剤を用いてタイルをベースマットの上に接着すれば解決できるが、そのような接着剤は未だ開発されてないため解決には至っていない。
【０００７】
本発明は上記の問題に鑑みてなされたものであり、その主たる目的とするところは、ベースマットに対するタイルの接着固定力が大きく、タイルに大きい横向きの力が作用しても簡単に剪断剥離することがない置敷タイルマットを提供することにある。更に、本発明は、簡単に切断して置敷タイルマットの寸法調整を容易に行えるようにすることや、置敷タイルマット同士を簡単に接続できるようにすることも目的としている。
【０００８】
【課題を解決するための手段】
前記目的を達成するため、本発明の請求項１に係る置敷タイルマットは、合成樹脂製のベースマットの上にタイルが接着剤で接着された置敷タイルマットであって、上記タイルの接着部分の裏面には凹部が形成されており、上記ベースマットの接着部分には切欠部が形成されると共に、その内側面に上部が鍔状に突出した段部が形成されており、上記切欠部の両側には上方へ突き出す小突起が形成されており、上記接着剤がベースマットの裏側から切欠部の段部を覆うように切欠部とタイル裏面の凹部に充填されて硬化していることを特徴とするものである。
【０００９】
この置敷タイルマットのように、接着剤がベースマットの裏側から切欠部の段部を覆うように切欠部とタイル裏面の凹部に充填されて硬化していると、接着剤のベースマットに対する接着力が弱くても、接着剤が切欠部の段部に下方から係着した状態でタイルを強固に固定できるため、タイルに上向きの剥離力が作用したときにタイルの剥離を充分防止することができる。
【００１０】
また、この置敷タイルマットのように、接着剤がベースマットの切欠部とタイル裏面の凹部に充填されて硬化していると、タイルに横向きの力が作用したときに、接着剤がタイルの横方向への移動を阻止する楔材の役目を果たすため、タイルが横方向に剪断薄利するのを充分防止することもできる。また、切欠部の両側に形成された上方へ突き出す小突起がなければ、接着剤が凹部に沿って流出するため接着剤を溜めることができないが、小突起を凹部に嵌め込むと、接着剤が該突起により堰き止められて流出しなくなるので、凹部及び切欠部に接着剤を確実に充填することができる。
【００１１】
次に、本発明の請求項２に係る置敷タイルマットは、合成樹脂製のベースマットの上にタイルが接着剤で接着された置敷タイルマットであって、上記タイルの接着部分の裏面には凸部が形成されており、上記ベースマットの接着部分には凸部を収容する収容部と切欠部が連なって形成されると共に、切欠部の内側面に上部が鍔状に突出した段部が形成されており、上記接着剤がベースマットの裏側から切欠部の段部とタイル裏面と凸部の側面を覆うように切欠部に充填されて硬化していることを特徴とするものである。
【００１２】
この置敷タイルマットも、接着剤がベースマットの裏側から切欠部の段部を覆うように切欠部に充填されて硬化することにより、接着剤が下方から段部に係着した状態でタイルを強固に固定しているため、タイルが上方へ剥離するのを充分に防止することができる。しかも、接着剤がタイルの裏面だけでなく凸部の側面まで覆うように充填されて硬化し、接着剤によってタイルが上下方向だけでなく横方向にも強く接着されているため、タイルが横方向に剪断剥離するのを充分防止することができる。
【００１３】
次に、請求項３に係る置敷タイルマットは、上記請求項１の置敷タイルマットにおいて、ベースマットが、タイルを一枚づつ接着する方形支持体を連結部を介して縦横に複数連結したものであって、それぞれの方形支持体には切欠部が形成され、その内側面に上部が鍔状に突出した段部が形成されていることを特徴とするものである。
【００１４】
このような置敷タイルマットは、連結部を切断することにより、余分なタイルを接着した方形支持体を分離するだけで、簡単に寸法調節を行うことができる。従って、この置敷タイルマットを使用すれば、タイルフロアの施工時に容易に端仕舞処理をすることができる。
【００１５】
次に、請求項４に係る置敷タイルマットは、上記請求項２の置敷タイルマットにおいて、ベースマットが、タイルを一枚づつ接着する方形支持体を連結部を介して縦横に複数連結したものであって、それぞれの方形支持体には収容部と切欠部が連なって形成され、切欠部の内側面に上部が鍔状に突出した段部が形成されていることを特徴とするものである。
【００１６】
この置敷タイルマットも、連結部を切断して余分なタイルを接着した方形支持体を分離することにより、簡単に寸法調節を行うことができるので、タイルフロアの施工時に容易に端仕舞処理をすることができる。
【００１７】
更に、請求項５に係る置敷タイルマットは、上記請求項１〜４のいずれかの置敷タイルマットにおいて、ベースマットの隣接する二辺に接続用の被係合部が形成され、この被係合部に係合しうる接続用の係合部が他の隣接する二辺に形成されていることを特徴とするものである。
【００１８】
このような置敷タイルマットは、係合部を隣のマットの被係合部に係合させることにより、簡単に接続しながら縦横に整然と並べて敷設することができる。
【００１９】
【発明の実施の形態】
以下、図面を参照して本発明の具体的な実施形態を詳述する。
【００２０】
図１は本発明の一実施形態に係る置敷タイルマットの側面図、図２は同置敷タイルマットの斜視図、図３（ａ）及び（ｂ）は同置敷タイルマットのベースマットの平面図及び底面図、図４は同置敷タイルマットのタイルを斜め下方から見た斜視図、図５は同置敷タイルマットの拡大部分底面図、図６は図５のＡ−Ａ線拡大断面図（上下反転させた拡大断面図）、図７は図５のＢ−Ｂ線拡大断面図（上下反転させた拡大断面図）、図８は同置敷タイルマットの使用例の説明図、図９は同置敷タイルマットの接続状態を示す部分断面図である。
【００２１】
この実施形態の置敷タイルマットＭは、図１、図２に示すように、ベースマット１の上に複数枚（９枚）のタイル２を接着したものであり、ベースマット１は柔軟性のあるＥＶＡや、ポリエチレンその他のポリオレフィンなどの合成樹脂で成形されている。
【００２２】
このベースマット１は、図２、図３に示すように、タイル２を一枚づつ接着する方形支持体１ａを縦横に３個づつ合計９個並べて、連結部１ｂにより連結一体化したものある。この連結部１ｂは、図５に示すように円筒状に形成されてベースマットの支持脚を兼ねており、隣り合う方形支持体１ａ，１ａの間に２個づつ設けられている。そして、各連結部１ｂには、切断を容易にするための一対の細溝１ｃ，１ｃが形成されており、この細溝１ｃ，１ｃに沿って連結部１ｂを切断すると、余分の方形支持体１ａを分離してベースマット１の縦横の寸法を簡単に調節できるようになっている。
【００２３】
図２，図３，図５に示すように、各方形支持体１ａの四隅の近傍部分にはＵ字形の切欠部１ｄが４つ形成されており、それぞれの切欠部１ｄの内側面には段部１ｅが鍔状に突出して形成されている。そして、各切欠部１ｄの両側には上方へ突き出す小突起１ｍ，１ｍが形成されている。この小突起１ｍ，１ｍは、後述するように接着剤を堰き止めるものである。また、方形支持体１ａの中央部にはタイル２を支えるＸ形の支持バー１ｆが形成され、その交点の裏面には円筒状の支持脚１ｇが形成されている。
【００２４】
更に、ベースマット１の隣接する二辺には、図２、図３に示すように接続用の被係合部１ｈが形成されており、この被係合部１ｈに係合しうる接続用の係合部１ｉが他の隣接する二辺に形成されている。接続用の被係合部１ｈは各方形支持体１ａに２個づつ形成されており、これに対応して接続用の係合部１ｉも各方形支持体１ａに２個づつ形成されている。
【００２５】
この係合部１ｉはベースマット１の端部の支持脚を兼ねたものであり、図２、図６に示すように爪片１ｊ，１ｊが該係合部１ｉの両側面に突設されている。この爪片１ｊ，１ｊは、係合部１ｉを被係合部１ｈに嵌込んで係合接続したときに係合部１ｉが抜けるのを防止するためのものである。また、被係合部１ｈは、図２、図３に示すように、方形支持体１ａの側方へコ字形に突き出して形成されており、各被係合部１ｈの内側には支持脚１ｋが設けられている。
【００２６】
一方、タイル２の裏面には、図４に示すように、複数の溝形の凹部２ａが平行に形成されており、このタイル２をベースマット１の方形支持体１ａに載置すると、図５，図６に示すように、タイル裏面の凹部２ａと方形支持体１ａの切欠部１ｄが上下に重なるようになっている。そして、切欠部１ｄの両側に形成された突起１ｍ，１ｍがタイル裏面の凹部２ａに嵌り込むようになっている。
【００２７】
この置敷タイルマットＭは、上記のようにタイル２をベースマット１の各方形支持体１ａに載置してタイル裏面の凹部２ａに突起１ｍ，１ｍを嵌め込み、その状態で図５〜図７に示すごとく接着剤３をベースマット１の裏側から切欠部１ｄの段部１ｅを覆うように切欠部１ｄと凹部２ａに充填して硬化させることにより、タイル２をベースマット１の各方形支持体１ａに接着したものである。
【００２８】
その場合、突起１ｍ，１ｍがなければ、接着剤３が溝形の凹部２ａに沿って流失するため接着剤３を溜めることができないが、上記のように突起１ｍ，１ｍを凹部２ａに嵌め込むと、接着剤３が該突起１ｍ，１ｍにより堰き止められて流失しなくなるので、凹部２ａ及び切欠部１ｄに接着剤３を確実に充填することができる。
【００２９】
なお、接着剤３としては、タイル２に対して優れた接着力を有するエポキシ系樹脂接着剤などが好適に使用される。
【００３０】
上記の置敷タイルマットＭのように、接着剤３が切欠部１ｄの段部１ｅを覆うように充填されて硬化していると、接着剤３のベースマット１に対する接着力が弱くても、図６、図７に示すように接着剤３が下方から切欠部１ｄの段部１ｅに係着した状態でタイル２を強固に固定できるため、タイル２の上方向への剥離を防止することが可能となる。そして、接着剤３がベースマットの切欠部１ｄとタイル裏面の凹部２ａに充填されて硬化していると、タイル２に横向きの力が作用したとき、接着剤３がタイル２の横方向への移動を阻止する楔材の役目を果たすため、タイル２の横方向への剪断剥離を防止することも可能となる。
【００３１】
このような置敷タイルマットＭは、図８に示すように、例えばバルコニー等の床の下地面４に置敷きし、図９に示すように隣り合う一方の置敷タイルマットＭの係合部１ｉを他方の置敷タイルマットＭの被係合部１ｈに上方から嵌め込んで係合させることにより、それぞれの置敷タイルマットＭを接続しながら縦横に整然と並べて、簡単にタイルフロアを施工することができる。そして、床の端部に置敷きされるタイルマットＭの寸法が大きすぎる場合には、ベースマット１を連結部１ｂのところで切断して寸法を小さく調節することにより、簡単にタイルフロアの端仕舞処理を行うことができる。
【００３２】
以上の実施形態の置敷タイルマットＭでは、タイル２の裏面に溝形の凹部２ａを形成しているが、ベースマットの切欠部１ｄに対応する部分のタイル２の裏面に四角形、円形、楕円形など、種々の形状を有する独立した凹部を形成してもよい。このような凹部を形成すると、溝形の凹部２ａのように接着剤３の流失を生じることがないので、切欠部１ｄの両側に形成した接着剤堰き止め用の小突起１ｍ，１ｍを省略できる利点がある。
【００３３】
図１０は本発明の他の実施形態に係る置敷タイルマットの斜視図、図１１（ａ）及び（ｂ）は同置敷タイルマットのベースマットの拡大部分平面図及び拡大部分底面図、図１２は同置敷タイルマットのタイルを斜め下方から見た斜視図、図１３は同置敷タイルマットの拡大部分底面図、図１４は図１３のＣ−Ｃ線拡大断面図（上下反転させた拡大断面図）である。
【００３４】
この実施形態の置敷タイルマットＭ1 も、ベースマット１の上に複数枚（９枚）のタイル２を縦横に並べて接着したものであるが、図１２に示すように、タイル２の裏面には、小さな直方体形状の４つの凸部２ｂが形成されている。
【００３５】
一方、ベースマット１は、図１０、図１１、図１３に示すように、その方形支持体１ａが方形枠の内側に２本の縦桟１ｎ，１ｎと１本の横桟１ｐを設けた形状とされており、上記タイルの凸部２ｂを収容する収容部１ｑ，１ｑが縦桟１ｎと方形枠にまたがって形成されている。そして、この収容部１ｑと接着剤を充填する切欠部１ｄが連なり、該切欠部１ｄの内側面には段部１ｅが形成されている。なお、このベースマット１では、上記の収容部１ｑを除いて、方形枠の内側面、縦桟１ｎ及び横桟１ｐの両側面の全てに段部１ｅが形成されているが、段部１ｅは少なくとも切欠部１ｄの内側面に形成されていれば足るものである。
【００３６】
この実施形態の置敷タイルマットＭ1 は、上記のタイル２をベースマット１の各方形支持体１ａに載置して、タイル裏面の凸部２ｂを方形支持体１ａの収容部１ｑ，１ｑに嵌め込み、その状態で図１３、図１４に示すごとく、接着剤３をベースマット１の裏側から切欠部１ｄの段部１ｅとタイル２の裏面と凸部２ｂの側面を覆うように切欠部１ｄに充填して硬化させることにより、タイル２をベースマット１の各方形支持体１ａに接着したものである。
【００３７】
この置敷タイルマットＭ1 も、接着剤３が下方から切欠部１ｄの段部１ｅに係着した状態でタイル２を強固に固定するため、タイル２の上方向への剥離を防止することができ、また、接着剤３がタイル２の裏面だけでなく凸部２ｂの側面にも付着して、タイル２を上下方向だけでなく横方向にも強く接着するため、タイル２の横方向への剪断剥離を防止することができる。しかも、タイル２の裏面には、接着剤３の充填される凹部が存在しないので、接着剤３の使用量を減少させることができる。
【００３８】
この置敷タイルマットＭ1 の他の構成は、前述した置敷タイルマットＭと同様であるので、図１０〜図１４において同一部材には同一符号を付し、説明を省略する。また、この置敷タイルマットＭ1 の使用方法も、前述した置敷タイルマットＭと同様であるので説明を省略する。
【００３９】
【発明の効果】
以上の説明から明らかなように、本発明の置敷タイルマットは、タイルの上方向への剥離や横方向への剪断剥離を充分に防止できるといった顕著な効果を奏すると共に、切断による寸法調整や置敷タイルマット相互の接続を容易に行えるといった効果を合わせて奏する。
【図面の簡単な説明】
【図１】本発明の一実施形態に係る置敷タイルマットの側面図である。
【図２】同置敷タイルマットの斜視図である。
【図３】同置敷タイルマットのベースマットを示すもので、（ａ）はその平面図、（ｂ）はその底面図である。
【図４】同置敷タイルマットのタイルを斜め下方から見た斜視図である。
【図５】同置敷タイルマットの拡大部分底面図である。
【図６】図５のＡ−Ａ線拡大断面図（上下反転させた拡大断面図）である。
【図７】図５のＢ−Ｂ線拡大断面図（上下反転させた拡大断面図）である。
【図８】同置敷タイルマットの使用例の説明図である。
【図９】同置敷タイルマットの接続状態を示す部分断面図である。
【図１０】本発明の他の実施形態に係る置敷タイルマットの斜視図である。
【図１１】同置敷タイルマットのベースマットを示すもので、（ａ）はその拡大部分平面図、（ｂ）はその拡大部分底面図である。
【図１２】同置敷タイルマットのタイルを斜め下方から見た斜視図である。
【図１３】同置敷タイルマットの拡大部分底面図である。
【図１４】図１３のＣ−Ｃ線拡大断面図（上下反転させた拡大断面図）である。
【符号の説明】
Ｍ，Ｍ1 置敷タイルマット
１  ベースマット
１ａ  方形支持体
１ｂ  連結部
１ｃ  細溝
１ｄ  切欠部
１ｅ  段部
１ｈ  接続用の被係合部
１ｉ  接続用の係合部
１ｍ  小突起
１ｑ  収容部
２  タイル
２ａ  凹部
２ｂ  凸部
３  接着剤
【図１】
0003752609.tif 000002
【図２】
0003752609.tif 000003
【図３】
0003752609.tif 000004
【図４】
0003752609.tif 000005
【図５】
0003752609.tif 000006
【図６】
0003752609.tif 000007
【図７】
0003752609.tif 000008
【図８】
0003752609.tif 000009
【図９】
0003752609.tif 000010
【図１０】
0003752609.tif 000011
【図１１】
0003752609.tif 000012
【図１２】
0003752609.tif 000013
【図１３】
0003752609.tif 000014
【図１４】
0003752609.tif 000015